(57)【要約】      （修正有）【課題】箔シートとインクジェットプリンター等の非接触型印刷機を用いて、複雑な図形や小さな文字など、プリンターで印刷可能な所望の画像の形状の画像箔を対象物に転写可能な画像箔転写シートと、その製造方法、該画像転写シートを用いた画像箔の転写方法を提供する。【解決手段】上層のアプリケーションシートＡＳと、下層のセパレーターＳＰの上面に剥離可能に設けた糊層Ｎとの間に、上層の第一のクリア層Ｃ１と下層の第二のクリア層Ｃ２との間に箔を設けて成る画像層を部分的に有することを特徴とする、画像箔転写シート。又は、上層のアプリケーションシートの下面に剥離不能に設けた第一の糊層と、下層のセパレーターの上面に剥離可能に設けた第二の糊層との間に、上層の第一のクリア層と下層の第二のクリア層との間に箔を設けてなる画像層を部分的に有することを特徴とする、画像箔転写シート。【選択図】図１
2019127003.tif 000002
【特許請求の範囲】
【請求項１】
上層のアプリケーションシートと、下層のセパレーターの上面に剥離可能に設けた糊層との間に、上層の第一のクリア層と下層の第二のクリア層との間に箔を設けて成る画像層を部分的に有することを特徴とする、画像箔転写シート。
【請求項２】
上層のアプリケーションシートの下面に剥離不能に設けた第一の糊層と、下層のセパレーターの上面に剥離可能に設けた第二の糊層との間に、上層の第一のクリア層と下層の第二のクリア層との間に箔を設けてなる画像層を部分的に有することを特徴とする、画像箔転写シート。
【請求項３】
前記第一のクリア層、第二のクリア層は、いずれもクリアインク又はプライマーであることを特徴とする、請求項１又は請求項２のいずれかに記載の画像箔転写シート。
【請求項４】
少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、アプリケーションシートを離型シートの表面に圧着してアプリケーションシートに画像層を転写後、離型シートを剥離除去する画像層転写工程と、片面に糊層を剥離可能に設けたセパレーターの糊層側にアプリケーションシートの画像層を有する面を貼り付けることで画像箔転写シートを得るセパレーター貼付工程とからなることを特徴とする、画像箔転写シートの製造方法。
【請求項５】
少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、第一の糊層を片面に剥離不能に設けてなるアプリケーションシートの第一の糊層側を離型シートの表面に圧着してアプリケーションシートに画像層を転写後、離型シートを剥離除去する画像層転写工程と、片面に第二の糊層を剥離可能に設けたセパレーターの第二の糊層側にアプリケーションシートの画像層を有する面を貼り付けることで画像箔転写シートを得るセパレーター貼付工程とからなることを特徴とする、画像箔転写シートの製造方法。
【請求項６】
少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、アプリケーションシートを離型シートの表面に圧着してアプリケーションシートに画像層を転写後、離型シートを剥離除去する画像層転写工程と、片面に糊層を剥離可能に設けたセパレーターの糊層側にアプリケーションシートの画像層を有する面を貼り付けることで画像箔転写シートを得るセパレーター貼付工程と、画像箔転写シートからセパレーターを剥離除去した上で糊層を有する面を転写対象物の表面に圧着する圧着工程と、転写対象物に圧着した画像箔転写シートからアプリケーションシートを剥離除去する糊層除去工程とからなることを特徴とする、画像箔の転写方法。
【請求項７】
少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、第一の糊層を片面に剥離不能に設けてなるアプリケーションシートの第一の糊層側を離型シートの表面に圧着してアプリケーションシートに画像層を転写後、離型シートを剥離除去する画像層転写工程と、片面に第二の糊層を剥離可能に設けたセパレーターの第二の糊層側にアプリケーションシートの画像層を有する面を貼り付けることで画像箔転写シートを得るセパレーター貼付工程と、画像箔転写シートからセパレーターを剥離除去した上で第二の糊層を有する面を転写対象物の表面に圧着する圧着工程と、転写対象物に圧着した画像箔転写シートからアプリケーションシートを剥離除去する糊層除去工程とからなることを特徴とする、画像箔の転写方法。
【発明の詳細な説明】
【技術分野】
【０００１】
本発明は、転写対象物の表面に任意の画像の形状の金属箔を転写するための画像箔転写シートと、該画像箔転写シートの製造方法、または該画像箔転写シートを用いた転写対象物への画像箔の転写方法に関する。
【背景技術】
【０００２】
画像を転写対象物に転写する転写印刷としては、水転写、熱転写、昇華転写、乾式転写等の技術が知られている。中でも、基材シート上に仮着した画像層の裏面に接着剤を塗布した上で、押圧によって画像層を転写対象物の表面に移行させて接着する乾式転写は、転写時に画像に縁が残らないため、転写対象物に直接印刷したように見え、カッティングプロッター等による後処理も不要といった特徴を有する。
【０００３】
本願発明者は、かかる乾式転写技術の簡便化に取り組み、非特許文献１に記載の製品「スマートペーパー（商品名）」を開発して製造販売してきた。これは、表面に離型可能処理を施したＰＥＴ（ポリエチレンテレフタラート）製の基材シートであり、その表面にレーザープリンター等のトナー印刷によって鏡像の画像を印刷して画像層を形成し、該画像層上にアクリル系の糊を塗布して乾燥させた後、基材シートを転写対象物に密着させて押圧を加え、基材シートを剥離すると画像層のみが正像にて転写対象物に接着され転写が完了するものである。該スマートペーパーは、工程が極めて簡易であるだけでなく、溶剤等を使用しないため環境負荷の問題も生じない。また、転写に際して水を使用せず熱も加えないため、金属、ガラス、合成樹脂はもとより紙、木、皮革、繊維（布）、陶器まで適用可能な転写対象物の素材が幅広い。さらに、画像層を柔軟な基材シート上に仮着させた上で転写するため、直接プリンターを通せない立体物や曲面にも転写可能であるなど、乾式転写のコスト低減、適用範囲の拡大、作業の簡易化・効率化の効果を奏するものである。
【非特許文献１】「スマートペーパー」の説明（出願人ウェブサイトのページ）ＵＲＬ：https://ing-global.net/smartpaper/
【０００４】
また、本願発明者は、特許文献１に示す如く、スマートペーパーをさらに発展させ、上層の転写フィルムと下層の糊層との間に画像層を設け、該転写フィルムを、画像層に対しては離型性を有するとともに糊層に対しては易接着性を有するものとしたことを特徴とする画像転写シートを開発し、特許出願の上、製造販売している。該画像転写シートは、スマートペーパーのように、転写対象物に糊を塗布して糊層を形成したり、転写後に画像からはみ出した糊を除去したりする必要がないため、転写作業のコストや作業負担を低減でき、仕上りも均質化できるという有利な効果を奏する。また、該画像転写シートはＵＶ印刷に対応可能であり、画像転写シートを製造する際に、糊付シートの糊層の上面に任意の画像を正像で、かつ、インクを印刷機の仕様上可能な範囲で所望の厚みで積層して画像層を形成できる。転写対象物に直接印刷したかのような仕上がりが得られ、特にＵＶ印刷の特徴を活かして、パッケージ印刷等に好適な立体感の高い印刷が可能となる。そして、画像転写シートは、印刷機で直接印刷しにくい大きさや形状の平面や立体物に画像転写が可能であるから、印刷機の高度な設定や専用治具も不要となる。そのため、少量多品種製品やそのパッケージへの印刷、量産品のオリジナル化・カスタマイズ化、製品開発段階での試作品・サンプル品等への印刷等の大幅なコスト低減が可能となる。
【特許文献１】特開２０１７−２０９９３１
【０００５】
一方、転写画像に高級感を与えたり、より多彩な表現を実現するために、金箔や銀箔などの金属箔を所望の画像として転写対象物に転写することへの要望が以前から存在したが、上述の先行技術では困難であった。一般的な内装用・装飾用の金属箔は、プラスティックフィルム等の基材の表面に金属を蒸着した「箔シート」と呼ばれるものであり、裏面に粘着剤層を設けたもののほか、粘着剤層を設けないものも普及している。これらは、カッティングシートのように必要な形状にカットして対象物に直接貼り付けることができるが、複雑な図形や小さな文字をカットすることは難しく、手間も掛かる。また、一般的な箔シートは、金属箔のみではなく基材ごと対象物に貼り付けるため、特に繊細な図形などの場合には、基材の厚みが仕上りの品質を低下させるという問題もあった。
【０００６】
他の箔押しの手段としては、受治具に固定した対象物に箔を載せて、その上から金属板の表面に画像を凸版として設けてなる版板を加熱して押し付けることで、凸版部分の箔を対象物の表面に融着させるホットスタンプと呼ばれる技術も知られている。しかし、版板の製作にコストがかかるため、対象物が少量の場合や多数の画像を箔押し加工する場合には、経済性に問題があった。また、対象物に応じた治具を用意しなければならず、対象物の形状によってはホットスタンプが適用しにくい場合もあった。もちろん、対象物が熱に弱い樹脂製である場合には、そもそも適用できなかった。
【０００７】
ここで、プリンターによって対象物にインクで印刷するように金属箔で所望の形状の画像層を形成し、画像転写シートを用いて対象物に転写することができれば転写画像の質感の向上や表現力の向上に極めて有効である。その点、スマートペーパー等の先行技術に係る画像転写シートは糊層に直接画像を印刷してシールのように対象物に貼り付け、画像のみを転写することができる。しかし、表面全体に糊層を設けているため、箔シートを貼り付けると全面が画像転写シートに接着されてしまい、所望の画像部分だけを転写することはできないという問題があった。
【発明の開示】
【発明が解決しようとする課題】
【０００８】
本発明は、かかる従来技術の問題を解決するべく考案されたものであり、普及している箔シートとインクジェットプリンター等の非接触型印刷機を用いて、複雑な図形や小さな文字など、プリンターで印刷可能な所望の画像の形状の金属箔（以下、「画像箔」という）を対象物に転写可能な画像箔転写シートと、その製造方法、該画像転写シートを用いた画像箔の転写方法を提供することを課題とする。
【課題を解決するための手段】
【０００９】
上記課題を解決するために、本発明の請求項１に記載した画像箔転写シートは、上層のアプリケーションシートと、下層のセパレーターの上面に剥離可能に設けた糊層との間に、上層の第一のクリア層と下層の第二のクリア層との間に箔を設けて成る画像層を部分的に有することを特徴とする。なお、アプリケーションシートは、透明又は半透明の樹脂フィルムであり、クリア層に対しては離型性を有するとともに、糊剤に対しては易接着性を有するものとする。
【００１０】
請求項１に記載した該画像転写シートによる画像箔の転写は、まず、画像箔転写シートのセパレーターを剥離除去して糊層を露出させ、これを転写対象物の所定の表面に密着させて押圧することで画像箔転写シートを貼り付け、最後にアプリケーションシートを剥離する。この際、画像層のある部分では、アプリケーションシートがクリア層に対して離型性を有するため、画像層はアプリケーションシートから剥離し、糊層によって転写対象物の表面に接着された状態で残存する。一方、画像層のない部分では、アプリケーションシートが糊剤に対して接着性を有する一方、糊層はセパレーターから剥離可能であるため、糊層はアプリケーションシートとともにセパレーターから剥離除去される。
【００１１】
次に、請求項２に記載した画像箔転写シートは、上層のアプリケーションシートの下面に剥離不能に設けた第一の糊層と、下層のセパレーターの上面に剥離可能に設けた第二の糊層との間に、上層の第一のクリア層と下層の第二のクリア層との間に箔を設けてなる画像層を部分的に有することを特徴とする。
【００１２】
請求項２に記載した該画像箔転写シートによる画像箔の転写は、まず、画像箔転写シートのセパレーターを剥離除去して第二の糊層を露出させ、これを転写対象物の所定の表面に密着させて押圧することで画像箔転写シートを貼り付け、最後にアプリケーションシートを剥離する。この際、第一の糊層はアプリケーションシートから剥離不能であるため、画像層のある部分では、第一の糊層はアプリケーションシートとともに画像層から剥離するが、画像層は第二の糊層によって転写対象物の表面に接着された状態で残存する。一方、画像層のない部分では、第一の糊層と第二の糊層とが互いに接着し合って一体化するため、両糊層ともにアプリケーションシートとともに剥離除去される。
【００１３】
次に、請求項３に記載した画像箔転写シートは、請求項１又は請求項２のいずれかに記載した画像箔転写シートであって、前記第一のクリア層、第二のクリア層は、いずれもクリアインク又はプライマーであることを特徴とする。
【００１４】
クリアインクはグロスインクとも呼ばれ、色素を含有しない無色透明のインクである。一方、プライマーは、主にＵＶインクと印刷対象物との密着性の向上を目的とするやはり無色透明の塗布剤である。本発明における画像層は、金属箔のみが二層のクリア層に挟まれた構成となるが、顔料を含まないクリアインクやプライマーは、乾燥硬化時における塗膜の体積収縮による内部応力が小さいために接着力が大きく、金属に対しても高い易接着性を示す。特に、紫外線照射により硬化するＵＶインクは架橋構造を取るため、溶剤インクに比べて高い接着力を発揮する。そのため、クリア層自体が接着剤の役割を果たし、金属箔を挟んで一体化した強固な画像層を形成可能となる。
【００１５】
なお、ＵＶプリンターによるクリアインク又はプライマーの印刷は、ＵＶ−ＬＥＤランプの照射の制御により塗膜表面が光沢調又はマット調になるよう設定可能な場合があるが、マット調に設定した場合、クリア層の表面の凹凸が極薄厚の箔に反映して美観を損なうため、光沢調に設定することが望ましい。
【００１６】
次に、請求項４に記載した画像箔転写シートの製造方法は、少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、アプリケーションシートを離型シートの表面に圧着してアプリケーションシートに画像層を転写後、離型シートを剥離除去する画像層転写工程と、片面に糊層を剥離可能に設けたセパレーターの糊層側にアプリケーションシートの画像層を有する面を貼り付けることで画像箔転写シートを得るセパレーター貼付工程とからなることを特徴とする。
【００１７】
次に、請求項５に記載した画像箔転写シートの製造方法は、少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、第一の糊層を片面に剥離不能に設けてなるアプリケーションシートの第一の糊層側を離型シートの表面に圧着してアプリケーションシートに画像層を転写後、離型シートを剥離除去する画像層転写工程と、片面に第二の糊層を剥離可能に設けたセパレーターの第二の糊層側にアプリケーションシートの画像層を有する面を貼り付けることで画像箔転写シートを得るセパレーター貼付工程とからなることを特徴とする。
【００１８】
離型シートとしては、表面に剥離層としてシリコン被膜を形成したシリコン処理紙、あるいはＰＥＴ等を基材とするシリコン処理樹脂フィルムのほか、剥離層にシリコンを含まない非シリコン系離型紙・離型フィルムが適用可能である。ただ、紙の場合は表面に微細な凹凸があり、また、印刷する第一のクリア層の表面に印刷ムラによる凹凸を生じると極薄厚の箔に反映して美観を損ねるため、樹脂に対して高い濡れ性（レベリング性）と離型性を兼ね備える非シリコン系の離型フィルムがより好適である。一方、アプリケーションシートは、前述のとおりその片面に第一の糊層が強固に接着されてなるため、アプリケーションシートと第一の糊層とは剥離不能である。ちなみに、アプリケーションシートとしては、前述の本願発明者による発明である「スマートペーパー」がそのまま適用可能である。
【００１９】
次に、請求項６に記載した画像箔の転写方法は、少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、アプリケーションシートを離型シートの表面に圧着してアプリケーションシートに画像層を転写後、離型シートを剥離除去する画像層転写工程と、片面に糊層を剥離可能に設けたセパレーターの糊層側にアプリケーションシートの画像層を有する面を貼り付けることで画像箔転写シートを得るセパレーター貼付工程と、画像箔転写シートからセパレーターを剥離除去した上で糊層を有する面を転写対象物の表面に圧着する圧着工程と、転写対象物に圧着した画像箔転写シートからアプリケーションシートを剥離除去する糊層除去工程とからなることを特徴とする。
【００２０】
最後に、請求項７に記載した画像箔の転写方法は、少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、第一の糊層を片面に剥離不能に設けてなるアプリケーションシートの第一の糊層側を離型シートの表面に圧着してアプリケーションシートに画像層を転写後、離型シートを剥離除去する画像層転写工程と、片面に第二の糊層を剥離可能に設けたセパレーターの第二の糊層側にアプリケーションシートの画像層を有する面を貼り付けることで画像箔転写シートを得るセパレーター貼付工程と、画像箔転写シートからセパレーターを剥離除去した上で第二の糊層を有する面を転写対象物の表面に圧着する圧着工程と、転写対象物に圧着した画像箔転写シートからアプリケーションシートを剥離除去する糊層除去工程とからなることを特徴とする。
【発明の効果】
【００２１】
本発明に係る画像箔転写シートとその製造方法、画像箔の転写方法は、以下のような数々の優れた効果を奏する。
（１）クリアインクを使用可能なインクジェットプリンター等の非接触型印刷機により、印刷した画像の通りに箔を画像層として形成可能であるため、複雑な図形や小さな文字などの繊細な画像であっても正確に箔として対象物に転写できる。これにより、従来の手作業による「箔押し」や「箔付け」では困難だった表現が可能となる。また、箔の上にインクで画像を重ね描きした複合的な画像も一回で対象物に転写することも可能である。
（２）同じ画像箔転写シートを印刷の方法により連続的に大量製造できる。これにより、カッティングシートのように箔シートから１点づつ画像を切り出す方法に比べて作業効率が大幅に向上する。
（３）製版を必要とせず、画像データごとに少量多品種製造が可能である。そのため、少量多品種製品やそのパッケージへの転写、量産品のオリジナル化・カスタマイズ化、製品開発段階での試作品・サンプル品等への「箔押し」や「箔付け」が大幅に低コスト化できる。
（４）セパレーターを剥がした時点で、透明なアプリケーションシートの下に画像箔のみが保持されるため対象物の転写箇所が視認可能であり、位置決めが容易となり正確な転写作業が行える。
（５）転写には何らの器具や治具も必要とせず、画像箔転写シートを転写箇所に貼り付けて押圧し、アプリケーションシートを剥がすだけで完了するため、作業は極めて容易である。しかも、転写作業自体には熱を使用しないので、樹脂製等の熱に弱い対象物にも転写が可能である。
（６）アプリケーションシートを剥離するだけで画像箔以外の部分の糊層（粘着剤層）が剥離除去されるため、作業効率が向上し、仕上りも美しくなる。
（７）転写された画像箔の表面がクリアインクによって保護された状態となるため、擦過や経年劣化への耐久性が高く、箔画像の風合いにも深みが増す。
（８）完成した画像箔転写シートは、対象物への接着面がセパレーターによって保護された状態であるため、従来の印刷画像シールと同様に取扱いや保管が容易である。
【発明を実施するための最良の形態】
【００２２】
（第一実施形態）
以下、本発明の実施形態について図面に基づいて詳細に説明する。第一実施形態は、請求項１に記載した糊層を一層のみ有する画像箔転写シートと、その製造方法、並びに該画像箔転写シートを用いた画像箔の転写方法に係るものである。
【００２３】
図１は、本発明の第一実施形態に係る画像箔転写シート１の一例を示す断面図である。画像箔転写シート１は、下層のセパレーターＳＰの上面に設けた糊層Ｎと、上層のアプリケーションシートとの間に挟まれる形で画像層Ｉを有している。画像層Ｉは、上層の第一のクリア層Ｃ１と下層の第二のクリア層Ｃ２との間に箔Ｆを有している。セパレーターＳＰと第一の糊層Ｎ１とは剥離可能である。一方、第一のクリア層Ｃ１と第二のクリア層Ｃ２は、それ自体の接着力により箔Ｆの上下面に固着しており、一体的に画像層Ｉを形成している。
【００２４】
図２から図１２は、画像箔転写シート１の製造工程を段階的に示した断面図である。図２は、画像箔を形成するために用いる箔シートＦＳの断面図である。箔シートＦＳは、基材フィルムＢＦの下面に、金属を蒸着して箔Ｆの層を設けている。箔とする金属としては、純金、純銀、銅、錫、アルミ等が一般的だが、銀を燻すことによって色調を変化させた赤銀箔、青銀箔や、真鍮に黄色の着色をして金に似せた洋金なども使用できる。また、金属箔の製造工程にエンボス工程を追加することで箔に干渉縞を生じさせて三次元模様を浮かび上がらせるホログラム箔を使用すれば、画像箔をさらに表情豊かなものとできる。
【００２５】
図３は、離型シートＲの表面に非接触型印刷機Ｐによりクリアインク又はプライマーで
所望の画像を正像印刷して第二のクリア層Ｃ２を形成する第一印刷工程を示す断面図である。図４及び図５は、箔転写工程を示す断面図である。図４は、箔シートＦＳの箔Ｆを有する側を第二のクリア層Ｃ２を設けた離型シートＲの表面に圧着した状態を示す断面図である。図５は、箔シートを剥離することで第二のクリア層Ｃ２にのみ箔が転写された状態を示す断面図である。箔シートＦＳが離型シートＲに圧着されると、第二のクリア層Ｃ２に接触した箇所ではクリアインクの接着力によって箔Ｆが接着される。しかし、離型シートＲに接触した箇所では箔Ｆの接着は起こらず、箔シートＦＳを剥離すると所望の画像の形状に箔Ｆが転写されるのである。
【００２６】
離型シートＲとしては、前述のとおりたとえば非シリコン系の離型フィルムが好適である。ただし、離型性が軽すぎると、箔シートを剥離する際に第二のクリア層Ｃ２が剥がれやすくなり、逆に離型性が重すぎると、後の画像転写工程においてアプリケーションシートＡＳ側にうまく画像層が写し取られないおそれがあるため、適切な離型性を有するものを選択する。一方、箔シートを圧着する際には、指や手動ローラー等による圧着でも良いが、ローラーの内部にヒーターを組み込んだホットローラーを用い、加熱しながら圧着することがより効果的である。本願発明者の試行によれば、加熱温度は４０℃〜２００℃が望ましく、１３０℃程度が好適である。一般的に融点が４０℃前後であるプライマーの場合、それ以下の温度では箔に対する接着力が不十分となる場合があり、２００℃を超えると箔自体を変性させてしまうおそれがある。
【００２７】
図６は、第二印刷工程を示す断面図である。非接触型印刷機Ｐにより、第一印刷工程と同じ画像データによってクリアインク又はプライマーで画像を印刷することにより、転写された箔Ｆの上面にのみ第一のクリア層Ｃ１を形成することができる。これにより、離型シートＲの上面に、上層の第一のクリア層Ｃ１と下層の第二のクリア層Ｃ２との間に箔Ｆを有する画像層Ｉが形成される。
【００２８】
図７〜９は、画像転写工程を示す断面図である。図７は、アプリケーションシートＡＳの断面図である。図８は、アプリケーションシートＡＳを離型シートＲの上面に圧着した状態を示す断面図であり、図９は、その後離型シートＲを剥離除去する状態を示す断面図である。
適度な離型性を有する離型シートＲを用いることで、離型シートＲは容易に剥離除去されて、画像層ＩのみがアプリケーションシートＡＳの下面に転写される。
【００２９】
図１０は、セパレーターＳＰの断面図であり、図１１、１２は、セパレーター貼付工程を示す断面図である。セパレーターＳＰは、その上面に糊層Ｎを剥離可能に設けている。図１１は、セパレーターＳＰの糊層Ｎを設けた面にアプリケーションシートＡＳの画像層Ｉを有する面を貼り付ける状態を示す断面図であり、図１２は、画像箔転写シート１が完成した状態を示す断面図である。
【００３０】
図１３〜１５は圧着工程を示す断面図である。図１３は、完成した画像箔転写シート１からセパレーターＳＰを剥離除去して糊層Ｎを露出させた状態を示す断面図である。また、図１４及び図１５は、画像箔転写シート１を転写対象物Ｏに圧着する圧着工程を示す断面図である。最後に、図１６は、転写対象物Ｏに圧着した画像箔転写シート１からアプリケーションシートＡＳを剥離除去することで画像箔の転写を完了させ、かつ糊層を除去する糊層除去工程を示す断面図である。
【００３１】
圧着工程により、画像層Ｉは糊層Ｎによって転写対象物Ｏの表面に接着され、糊層除去工程でアプリケーションシートＡＳを剥離すると、画像層Ｉは糊層Ｎによって転写対象物Ｏに接着されたまま残存する。一方、アプリケーションシートＡＳは糊料に対して易接着性を有するため、画像層Ｉのない部分では、糊層ＮがアプリケーションシートＡＳに接着されたまま転写対象物Ｏの表面から引き剥がされて除去され、画像箔の転写が完了する。これにより、転写された画像層Ｉは、箔Ｆが転写対象物Ｏの表面に直接「箔押し」されたかのように視認でき、しかも、透明な第一のクリア層Ｃ１によって表面をコートされた状態となる。
【００３２】
（第二実施形態）
第二実施形態は、請求項２に記載した糊層を二層有する画像箔転写シートと、その製造方法、並びに該画像箔転写シートを用いた画像箔の転写方法に係るものである。
【００３３】
図１７は、本発明の第二実施形態に係る画像箔転写シート２の一例を示す断面図である。画像箔転写シート２は、下層のセパレーターＳＰの上面に設けた第二の糊層Ｎ２と、上層のアプリケーションシートＡＳの下面に設けた第一の糊層Ｎ１との間に挟まれる形で画像層Ｉを有している。なお、画像層Ｉの構成は第一実施形態と同じである。セパレーターＳＰと第二の糊層Ｎ２とは剥離可能であるが、アプリケーションシートＡＳと第一の糊層Ｎ１とは強固に接着しており、剥離不能である。
【００３４】
図１８から図２２は、画像箔転写シート２の製造工程を段階的に示した断面図である。なお、画像層Ｉを形成するための第一印刷工程、箔転写工程、第二印刷工程は、第一実施形態と同じであるため（図２乃至図６）、図及び説明は省略する。
【００３５】
図１８から図２０は、画像転写工程を示す断面図である。図１８は、第二実施形態に用いるアプリケーションシートＡＳの断面図である。アプリケーションシートＡＳは、その下面に第一の糊層Ｎ１を剥離不能に設けている。図１９は、アプリケーションシートＡＳの第一の糊層Ｎ１を設けた側を離型シートＲの上面に圧着した状態を示す断面図であり、図２０は、その後離型シートＲを剥離除去する状態を示す断面図である。アプリケーションシートＡＳの圧着により、画像層Ｉは第一の糊層Ｎ１によってアプリケーションシートＡＳに接着されるが、画像層Ｉのない部分では離型シートＲが第一の糊層Ｎ１に直接接触しても糊剤に対して離型性を有するため、接着されない。そのため、離型シートＲを剥離除去すると、画像層ＩのみがアプリケーションシートＡＳの下面に転写されるのである。
【００３６】
図２１〜２３は、セパレーター貼付工程を示す断面図である。図２１は、セパレーターＳＰの断面図である。セパレーターＳＰは、その上面に第二の糊層Ｎ２を剥離可能に設けている。図２２は、セパレーターＳＰの第二の糊層Ｎ２を設けた面にアプリケーションシートＡＳの画像層Ｉを有する面を貼り付ける状態を示す断面図であり、図２３は、画像箔転写シート２が完成した状態を示す断面図である。
【００３７】
図２４〜２６は圧着工程を示す断面図である。図２４は、完成した画像箔転写シート２からセパレーターＳＰを剥離除去して第二の糊層Ｎ２を露出させた状態を示す断面図である。また、図２５及び図２６は、画像箔転写シート１を転写対象物Ｏに圧着する圧着工程を示す断面図である。最後に、図２７は、転写対象物Ｏに圧着した画像箔転写シート２からアプリケーションシートＡＳを剥離除去することで画像箔の転写を完了させ、かつ糊層を除去する糊層除去工程を示す断面図である。
【００３８】
圧着工程により、画像層Ｉは第二の糊層Ｎ２によって転写対象物Ｏの表面に接着される。また、第一の糊層Ｎ１と第二の糊層Ｎ２は圧着されることにより互いに強固に接着し合って一体化する。その後、アプリケーションシートＡＳを剥離すると、画像層Ｉのある部分では、アプリケーションシートＡＳと剥離不能に接着している第一の糊層Ｎ１が画像層Ｉの上面の第一のクリア層Ｃ１から引き剥がされて、画像層Ｉのみが転写対象物Ｏの表面に残る。一方、画像層Ｉのない部分では、第一の糊層Ｎ１と第二の糊層Ｎ２とが互いに強固に接着し合って一体化しているため、ともにアプリケーションシートＡＳに貼り付いたまま転写対象物Ｏの表面から除去され、これにより、画像箔の転写が完了するのである。転写された画像層Ｉは、箔Ｆが転写対象物Ｏの表面に直接「箔押し」されたかのように視認でき、しかも、透明な第一のクリア層Ｃ１によって表面をコートされた状態となる。
【００３９】
なお、第一実施形態に係る画像箔転写シート１では、アプリケーションシートＡＳが糊層を有さないため、画像転写工程において離型シートＲを剥離除去する際に（図９）画像層ＩがアプリケーションシートＡＳに付着せず、離型シートＲ上に残存してしまう場合がないとはいえない。そのため、アプリケーションシートＡＳを離型シートＲ上に圧着する際には、手作業ではなくローラー又はラミネーターを用いて全体に均一に圧力が掛かるように押圧し、画像層ＩがアプリケーションシートＡＳに付着して十分に一体化するようにすることが望ましい。
【００４０】
一方、第二実施形態に係る画像箔転写シート２では、アプリケーションシートＡＳが第一の糊層Ｎ１を有するため、画像転写工程においてアプリケーションシートＡＳを離型シートＲに圧着した際に（図１９）、画像層Ｉは第一の糊層Ｎ１によってアプリケーションシートＡＳに接着されるため、離型シートＲを剥離除去する際に（図２０）離型シートＲ上に残存するおそれはない。そのため、アプリケーションシートＡＳの離型シートＲへの圧着をバレン等を用いた手作業で行っても、画像層Ｉは確実にアプリケーションシートＡＳ側に転写されるため、作業効率が向上する。
【００４１】
（第三実施形態）
図２８は、本発明の第三実施形態に係る画像箔転写シート３の断面図である。該画像箔転写シート３の画像層Iは、箔Ｆの上面にさらに部分的に画像Ｇが印刷され、その上に第一のクリア層Ｃ１を設けている。製造工程においては、箔転写工程の後に、やはり非接触型印刷機Ｐによって任意の画像を有色のインクで箔Ｆの表面に重ねて印刷し、その上に第二印刷工程によって第一のクリア層Ｃ１を設けるのである。かかる画像Ｇの追加を除き、画像箔転写シート３の構成及びその製造方法は、第一実施形態に係る画像箔転写シート１と同様である。図２９は、画像箔転写シート３によって転写対象物Ｏに画像層Ｉが転写された状態を示す断面図である。
【００４２】
（第四実施形態）
図３０は、本発明の第四実施形態に係る画像箔転写シート４の断面図である。画像層Ｉの形成の際に、箔Ｆの上面にさらに部分的に画像Ｇを有する構成は第三実施形態に係る画像箔転写シート３と同じであり、かかる画像Ｇの追加を除き、画像箔転写シート４の構成及びその製造方法は、第二実施形態に係る画像箔転写シート２と同様である。また、画像箔転写シート４によって転写対象物Ｏに画像層Ｉが転写された状態を示す断面図も図２９と同じである。
【００４３】
図３１〜３３は、画像箔転写シート３を適用した転写の事例を示す写真である。写真から明らかなように、第三実施形態又は第四実施形態の画像箔転写シートを用いることにより、箔Ｆの上に任意の画像が描かれた状態で対象物に転写することが可能となり、金属箔の上面に自在に模様を重ねることで転写画像の表現力をさらに高めることができる。たとえば、図３１の転写事例（その１）では、花の形の金属箔の上に花弁の輪郭等の図形を有色インクで重ね描きして表現力を高めた画像を転写している。また、図３２の転写事例（その２）では、文字を金属箔とし、その文字の輪郭を有色のＵＶインクで縁取ることで、文字に立体感を与える効果を付与している。さらに、図３３の転写事例（その３）のように、カードの表面全体に金属箔を転写した背景の上に城等の図形を重ねて印刷し、さらにＵＶインクならではの厚盛り印刷で装飾文様を付加した画像を一回の転写で実現している。
【００４４】
以上、本発明に係る画像転写方法の具体的な構成について説明したが、本発明は上記実施形態に限定されるものではなく、本発明の技術的思想の範囲内において改良または改変が可能であり、それらは本発明の技術的範囲に属するものである。
【産業上の利用可能性】
【００４５】
本発明によれば、印刷データどおりの所望の画像を金属箔として物品の表面に容易かつ自在に転写可能であるため、従来は製版の費用や多大な手間・時間を要していた「箔押し」や「箔付け」を極めて低コストかつ効率的に実現できる。特に、少量多品種製品やそのパッケージへの転写、量産品のオリジナル化・カスタマイズ化、製品開発段階での試作品・サンプル品等への「箔押し」や「箔付け」への利用可能性が大きく、また、建築の内装や装飾にも利用可能である。
【図面の簡単な説明】
【００４６】
【図１】画像箔転写シートの断面図（第一実施形態）
【図２】箔シートの断面図
【図３】第一印刷工程を示す断面図
【図４】箔転写工程を示す断面図（箔シートの圧着）
【図５】箔転写工程を示す断面図（箔の転写）
【図６】第二印刷工程を示す断面図
【図７】アプリケーションシート（第一実施形態）の断面図
【図８】画像層転写工程を示す断面図（アプリケーションシートの圧着：第一実施形態）
【図９】画像層転写工程を示す断面図（離型シートの剥離除去：第一実施形態）
【図１０】セパレーターの断面図
【図１１】セパレーター貼付工程を示す断面図（第一実施形態）
【図１２】完成した画像箔転写シート（第一実施形態）の断面図
【図１３】セパレーターの剥離除去（第一実施形態）
【図１４】転写対象物への圧着工程を示す断面図（貼り付け：第一実施形態）
【図１５】転写対象物への圧着工程を示す断面図（圧着：第一実施形態）
【図１６】糊層除去工程を示す断面図（第一実施形態）
【図１７】画像箔転写シートの断面図（第二実施形態）
【図１８】アプリケーションシート（第二実施形態）の断面図
【図１９】画像層転写工程を示す断面図（アプリケーションシートの圧着：第二実施形態）
【図２０】画像層転写工程を示す断面図（離型シートの剥離除去：第二実施形態）
【図２１】セパレーターの断面図
【図２２】セパレーター貼付工程を示す断面図（第二実施形態）
【図２３】完成した画像箔転写シート（第二実施形態）の断面図
【図２４】セパレーターの剥離除去（第二実施形態）
【図２５】転写対象物への圧着工程を示す断面図（貼り付け：第一実施形態）
【図２６】転写対象物への圧着工程を示す断面図（圧着：第二実施形態）
【図２７】糊層除去工程を示す断面図（第二実施形態）
【図２８】画像箔転写シートの断面図（第三実施形態）
【図２９】転写された画像層の断面図（第三実施形態、第四実施形態）
【図３０】画像箔転写シートの断面図（第四実施形態）
【図３１】第三実施形態に係る画像箔転写シートによる転写事例（その１）
【図３２】第三実施形態に係る画像箔転写シートによる転写事例（その２）
【図３３】第三実施形態に係る画像箔転写シートによる転写事例（その３）
【符号の説明】
【００４７】
１    画像箔転写フィルム（第一実施形態）
２    画像箔転写フィルム（第二実施形態）
３    画像箔転写フィルム（第三実施形態）
４    画像箔転写フィルム（第四実施形態）
ＦＳ  箔シート
ＢＦ  基材フィルム
Ｆ    箔
Ｃ１  第一のクリア層
Ｃ２  第二のクリア層
Ｎ    糊層（第一実施形態、第三実施形態）
Ｎ１  第一の糊層（第二実施形態、第四実施形態）
Ｎ２  第二の糊層（第二実施形態、第四実施形態）
Ｉ    画像層
Ｇ    画像
ＡＳ  アプリケーションシート
ＳＰ  セパレーター
Ｒ    離型シート
Ｐ    非接触型印刷機
Ｏ    転写対象物
【図１】
2019127003.tif 000003
【図２】
2019127003.tif 000004
【図３】
2019127003.tif 000005
【図４】
2019127003.tif 000006
【図５】
2019127003.tif 000007
【図６】
2019127003.tif 000008
【図７】
2019127003.tif 000009
【図８】
2019127003.tif 000010
【図９】
2019127003.tif 000011
【図１０】
2019127003.tif 000012
【図１１】
2019127003.tif 000013
【図１２】
2019127003.tif 000014
【図１３】
2019127003.tif 000015
【図１４】
2019127003.tif 000016
【図１５】
2019127003.tif 000017
【図１６】
2019127003.tif 000018
【図１７】
2019127003.tif 000019
【図１８】
2019127003.tif 000020
【図１９】
2019127003.tif 000021
【図２０】
2019127003.tif 000022
【図２１】
2019127003.tif 000023
【図２２】
2019127003.tif 000024
【図２３】
2019127003.tif 000025
【図２４】
2019127003.tif 000026
【図２５】
2019127003.tif 000027
【図２６】
2019127003.tif 000028
【図２７】
2019127003.tif 000029
【図２８】
2019127003.tif 000030
【図２９】
2019127003.tif 000031
【図３０】
2019127003.tif 000032
【図３１】
2019127003.tif 000033
【図３２】
2019127003.tif 000034
【図３３】
2019127003.tif 000035
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
上層のアプリケーションシートと、下層のセパレーターの上面に剥離可能に設けた糊層との間に、上層の第一のクリア層と下層の第二のクリア層との間に箔を設けて成る画像層を部分的に有し、前記画像層は前記糊層の上面に直接に接していることを特徴とする、画像箔転写シート。
【請求項２】
上層のアプリケーションシートの下面に剥離不能に設けた第一の糊層と、下層のセパレーターの上面に剥離可能に設けた第二の糊層との間に、上層の第一のクリア層と下層の第二のクリア層との間に箔を設けてなる画像層を部分的に有し、前記画像層は前記第二の糊層の上面に直接に接していることを特徴とする、画像箔転写シート。
【請求項３】
前記第一のクリア層、第二のクリア層は、いずれもクリアインク又はプライマーであることを特徴とする、請求項１又は請求項２のいずれかに記載の画像箔転写シート。
【請求項４】
少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、アプリケーションシートを離型シートの表面に圧着してアプリケーションシートに画像層を転写後、離型シートを剥離除去する画像層転写工程と、片面に糊層を剥離可能に設けたセパレーターの糊層側にアプリケーションシートの画像層を有する面を貼り付けることで画像箔転写シートを得るセパレーター貼付工程とからなることを特徴とする、画像箔転写シートの製造方法。
【請求項５】
少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、第一の糊層を片面に剥離不能に設けてなるアプリケーションシートの第一の糊層側を離型シートの表面に圧着してアプリケーションシートに画像層を転写後、離型シートを剥離除去する画像層転写工程と、片面に第二の糊層を剥離可能に設けたセパレーターの第二の糊層側にアプリケーションシートの画像層を有する面を貼り付けることで画像箔転写シートを得るセパレーター貼付工程とからなることを特徴とする、画像箔転写シートの製造方法。
【請求項６】
少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、アプリケーションシートを離型シートの表面に圧着してアプリケーションシートに画像層を転写後、離型シートを剥離除去する画像層転写工程と、片面に糊層を剥離可能に設けたセパレーターの糊層側にアプリケーションシートの画像層を有する面を貼り付けることで画像箔転写シートを得るセパレーター貼付工程と、画像箔転写シートからセパレーターを剥離除去した上で糊層を有する面を転写対象物の表面に圧着する圧着工程と、転写対象物に圧着した画像箔転写シートからアプリケーションシートを剥離除去する糊層除去工程とからなることを特徴とする、画像箔の転写方法。
【請求項７】
少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、第一の糊層を片面に剥離不能に設けてなるアプリケーションシートの第一の糊層側を離型シートの表面に圧着してアプリケーションシートに画像層を転写後、離型シートを剥離除去する画像層転写工程と、片面に第二の糊層を剥離可能に設けたセパレーターの第二の糊層側にアプリケーションシートの画像層を有する面を貼り付けることで画像箔転写シートを得るセパレーター貼付工程と、画像箔転写シートからセパレーターを剥離除去した上で第二の糊層を有する面を転写対象物の表面に圧着する圧着工程と、転写対象物に圧着した画像箔転写シートからアプリケーションシートを剥離除去する糊層除去工程とからなることを特徴とする、画像箔の転写方法。
【手続補正２】
【補正対象書類名】明細書
【補正対象項目名】全文
【補正方法】変更
【補正の内容】
【発明の詳細な説明】
【技術分野】
【０００１】
本発明は、転写対象物の表面に任意の画像の形状の金属箔を転写するための画像箔転写シートと、該画像箔転写シートの製造方法、または該画像箔転写シートを用いた転写対象物への画像箔の転写方法に関する。
【背景技術】
【０００２】
画像を転写対象物に転写する転写印刷としては、水転写、熱転写、昇華転写、乾式転写等の技術が知られている。中でも、基材シート上に仮着した画像層の裏面に接着剤を塗布した上で、押圧によって画像層を転写対象物の表面に移行させて接着する乾式転写は、転写時に画像に縁が残らないため、転写対象物に直接印刷したように見え、カッティングプロッター等による後処理も不要といった特徴を有する。
【０００３】
本願発明者は、かかる乾式転写技術の簡便化に取り組み、非特許文献１に記載の製品「スマートペーパー（商品名）」を開発して製造販売してきた。これは、表面に離型可能処理を施したＰＥＴ（ポリエチレンテレフタラート）製の基材シートであり、その表面にレーザープリンター等のトナー印刷によって鏡像の画像を印刷して画像層を形成し、該画像層上にアクリル系の糊を塗布して乾燥させた後、基材シートを転写対象物に密着させて押圧を加え、基材シートを剥離すると画像層のみが正像にて転写対象物に接着され転写が完了するものである。該スマートペーパーは、工程が極めて簡易であるだけでなく、溶剤等を使用しないため環境負荷の問題も生じない。また、転写に際して水を使用せず熱も加えないため、金属、ガラス、合成樹脂はもとより紙、木、皮革、繊維（布）、陶器まで適用可能な転写対象物の素材が幅広い。さらに、画像層を柔軟な基材シート上に仮着させた上で転写するため、直接プリンターを通せない立体物や曲面にも転写可能であるなど、乾式転写のコスト低減、適用範囲の拡大、作業の簡易化・効率化の効果を奏するものである。
【非特許文献１】「スマートペーパー」の説明（出願人ウェブサイトのページ）ＵＲＬ：https://ing-global.net/smartpaper/
【０００４】
また、本願発明者は、特許文献１に示す如く、スマートペーパーをさらに発展させ、上層の転写フィルムと下層の糊層との間に画像層を設け、該転写フィルムを、画像層に対しては離型性を有するとともに糊層に対しては易接着性を有するものとしたことを特徴とする画像転写シートを開発し、特許出願の上、製造販売している。該画像転写シートは、スマートペーパーのように、転写対象物に糊を塗布して糊層を形成したり、転写後に画像からはみ出した糊を除去したりする必要がないため、転写作業のコストや作業負担を低減でき、仕上りも均質化できるという有利な効果を奏する。また、該画像転写シートはＵＶ印刷に対応可能であり、画像転写シートを製造する際に、糊付シートの糊層の上面に任意の画像を正像で、かつ、インクを印刷機の仕様上可能な範囲で所望の厚みで積層して画像層を形成できる。転写対象物に直接印刷したかのような仕上がりが得られ、特にＵＶ印刷の特徴を活かして、パッケージ印刷等に好適な立体感の高い印刷が可能となる。そして、画像転写シートは、印刷機で直接印刷しにくい大きさや形状の平面や立体物に画像転写が可能であるから、印刷機の高度な設定や専用治具も不要となる。そのため、少量多品種製品やそのパッケージへの印刷、量産品のオリジナル化・カスタマイズ化、製品開発段階での試作品・サンプル品等への印刷等の大幅なコスト低減が可能となる。
【特許文献１】特開２０１７−２０９９３１
【０００５】
一方、転写画像に高級感を与えたり、より多彩な表現を実現するために、金箔や銀箔などの金属箔を所望の画像として転写対象物に転写することへの要望が以前から存在したが、上述の先行技術では困難であった。一般的な内装用・装飾用の金属箔は、プラスティックフィルム等の基材の表面に金属を蒸着した「箔シート」と呼ばれるものであり、裏面に粘着剤層を設けたもののほか、粘着剤層を設けないものも普及している。これらは、カッティングシートのように必要な形状にカットして対象物に直接貼り付けることができるが、複雑な図形や小さな文字をカットすることは難しく、手間も掛かる。また、一般的な箔シートは、金属箔のみではなく基材ごと対象物に貼り付けるため、特に繊細な図形などの場合には、基材の厚みが仕上りの品質を低下させるという問題もあった。
【０００６】
他の箔押しの手段としては、受治具に固定した対象物に箔を載せて、その上から金属板の表面に画像を凸版として設けてなる版板を加熱して押し付けることで、凸版部分の箔を対象物の表面に融着させるホットスタンプと呼ばれる技術も知られている。しかし、版板の製作にコストがかかるため、対象物が少量の場合や多数の画像を箔押し加工する場合には、経済性に問題があった。また、対象物に応じた治具を用意しなければならず、対象物の形状によってはホットスタンプが適用しにくい場合もあった。もちろん、対象物が熱に弱い樹脂製である場合には、そもそも適用できなかった。
【０００７】
ここで、プリンターによって対象物にインクで印刷するように金属箔で所望の形状の画像層を形成し、画像転写シートを用いて対象物に転写することができれば転写画像の質感の向上や表現力の向上に極めて有効である。その点、スマートペーパー等の先行技術に係る画像転写シートは糊層に直接画像を印刷してシールのように対象物に貼り付け、画像のみを転写することができる。しかし、表面全体に糊層を設けているため、箔シートを貼り付けると全面が画像転写シートに接着されてしまい、所望の画像部分だけを転写することはできないという問題があった。
【発明の開示】
【発明が解決しようとする課題】
【０００８】
本発明は、かかる従来技術の問題を解決するべく考案されたものであり、普及している箔シートとインクジェットプリンター等の非接触型印刷機を用いて、複雑な図形や小さな文字など、プリンターで印刷可能な所望の画像の形状の金属箔（以下、「画像箔」という）を対象物に転写可能な画像箔転写シートと、その製造方法、該画像転写シートを用いた画像箔の転写方法を提供することを課題とする。
【課題を解決するための手段】
【０００９】
上記課題を解決するために、本発明の請求項１に記載した画像箔転写シートは、上層のアプリケーションシートと、下層のセパレーターの上面に剥離可能に設けた糊層との間に、上層の第一のクリア層と下層の第二のクリア層との間に箔を設けて成る画像層を部分的に有し、前記画像層は前記糊層の上面に直接に接していることを特徴とする。なお、アプリケーションシートは、透明又は半透明の樹脂フィルムであり、クリア層に対しては離型性を有するとともに、糊剤に対しては易接着性を有するものとする。
【００１０】
請求項１に記載した該画像転写シートによる画像箔の転写は、まず、画像箔転写シートのセパレーターを剥離除去して糊層を露出させ、これを転写対象物の所定の表面に密着させて押圧することで画像箔転写シートを貼り付け、最後にアプリケーションシートを剥離する。この際、画像層のある部分では、アプリケーションシートがクリア層に対して離型性を有するため、画像層はアプリケーションシートから剥離し、糊層によって転写対象物の表面に接着された状態で残存する。一方、画像層のない部分では、アプリケーションシートが糊剤に対して接着性を有する一方、糊層はセパレーターから剥離可能であるため、糊層はアプリケーションシートとともにセパレーターから剥離除去される。
【００１１】
次に、請求項２に記載した画像箔転写シートは、上層のアプリケーションシートの下面に剥離不能に設けた第一の糊層と、下層のセパレーターの上面に剥離可能に設けた第二の糊層との間に、上層の第一のクリア層と下層の第二のクリア層との間に箔を設けてなる画像層を部分的に有し、前記画像層は前記第二の糊層の上面に直接に接していることを特徴とする。
【００１２】
請求項２に記載した該画像箔転写シートによる画像箔の転写は、まず、画像箔転写シートのセパレーターを剥離除去して第二の糊層を露出させ、これを転写対象物の所定の表面に密着させて押圧することで画像箔転写シートを貼り付け、最後にアプリケーションシートを剥離する。この際、第一の糊層はアプリケーションシートから剥離不能であるため、画像層のある部分では、第一の糊層はアプリケーションシートとともに画像層から剥離するが、画像層は第二の糊層によって転写対象物の表面に接着された状態で残存する。一方、画像層のない部分では、第一の糊層と第二の糊層とが互いに接着し合って一体化するため、両糊層ともにアプリケーションシートとともに剥離除去される。
【００１３】
次に、請求項３に記載した画像箔転写シートは、請求項１又は請求項２のいずれかに記載した画像箔転写シートであって、前記第一のクリア層、第二のクリア層は、いずれもクリアインク又はプライマーであることを特徴とする。
【００１４】
クリアインクはグロスインクとも呼ばれ、色素を含有しない無色透明のインクである。一方、プライマーは、主にＵＶインクと印刷対象物との密着性の向上を目的とするやはり無色透明の塗布剤である。本発明における画像層は、金属箔のみが二層のクリア層に挟まれた構成となるが、顔料を含まないクリアインクやプライマーは、乾燥硬化時における塗膜の体積収縮による内部応力が小さいために接着力が大きく、金属に対しても高い易接着性を示す。特に、紫外線照射により硬化するＵＶインクは架橋構造を取るため、溶剤インクに比べて高い接着力を発揮する。そのため、クリア層自体が接着剤の役割を果たし、金属箔を挟んで一体化した強固な画像層を形成可能となる。
【００１５】
なお、ＵＶプリンターによるクリアインク又はプライマーの印刷は、ＵＶ−ＬＥＤランプの照射の制御により塗膜表面が光沢調又はマット調になるよう設定可能な場合があるが、マット調に設定した場合、クリア層の表面の凹凸が極薄厚の箔に反映して美観を損なうため、光沢調に設定することが望ましい。
【００１６】
次に、請求項４に記載した画像箔転写シートの製造方法は、少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、アプリケーションシートを離型シートの表面に圧着してアプリケーションシートに画像層を転写後、離型シートを剥離除去する画像層転写工程と、片面に糊層を剥離可能に設けたセパレーターの糊層側にアプリケーションシートの画像層を有する面を貼り付けることで画像箔転写シートを得るセパレーター貼付工程とからなることを特徴とする。
【００１７】
次に、請求項５に記載した画像箔転写シートの製造方法は、少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、第一の糊層を片面に剥離不能に設けてなるアプリケーションシートの第一の糊層側を離型シートの表面に圧着してアプリケーションシートに画像層を転写後、離型シートを剥離除去する画像層転写工程と、片面に第二の糊層を剥離可能に設けたセパレーターの第二の糊層側にアプリケーションシートの画像層を有する面を貼り付けることで画像箔転写シートを得るセパレーター貼付工程とからなることを特徴とする。
【００１８】
離型シートとしては、表面に剥離層としてシリコン被膜を形成したシリコン処理紙、あるいはＰＥＴ等を基材とするシリコン処理樹脂フィルムのほか、剥離層にシリコンを含まない非シリコン系離型紙・離型フィルムが適用可能である。ただ、紙の場合は表面に微細な凹凸があり、また、印刷する第一のクリア層の表面に印刷ムラによる凹凸を生じると極薄厚の箔に反映して美観を損ねるため、樹脂に対して高い濡れ性（レベリング性）と離型性を兼ね備える非シリコン系の離型フィルムがより好適である。一方、アプリケーションシートは、前述のとおりその片面に第一の糊層が強固に接着されてなるため、アプリケーションシートと第一の糊層とは剥離不能である。ちなみに、アプリケーションシートとしては、前述の本願発明者による発明である「スマートペーパー」がそのまま適用可能である。
【００１９】
次に、請求項６に記載した画像箔の転写方法は、少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、アプリケーションシートを離型シートの表面に圧着してアプリケーションシートに画像層を転写後、離型シートを剥離除去する画像層転写工程と、片面に糊層を剥離可能に設けたセパレーターの糊層側にアプリケーションシートの画像層を有する面を貼り付けることで画像箔転写シートを得るセパレーター貼付工程と、画像箔転写シートからセパレーターを剥離除去した上で糊層を有する面を転写対象物の表面に圧着する圧着工程と、転写対象物に圧着した画像箔転写シートからアプリケーションシートを剥離除去する糊層除去工程とからなることを特徴とする。
【００２０】
最後に、請求項７に記載した画像箔の転写方法は、少なくとも、離型シートの表面にクリアインク又はプライマーで所望の画像を正像印刷して第二のクリア層を形成する第一印刷工程と、箔シートの箔面側を離型シートの表面に圧着後、箔シートを剥離して第二のクリア層にのみ箔を転写する箔転写工程と、転写された箔の表面にクリアインク又はプライマーで第一のクリア層を印刷して画像層を形成する第二印刷工程と、第一の糊層を片面に剥離不能に設けてなるアプリケーションシートの第一の糊層側を離型シートの表面に圧着してアプリケーションシートに画像層を転写後、離型シートを剥離除去する画像層転写工程と、片面に第二の糊層を剥離可能に設けたセパレーターの第二の糊層側にアプリケーションシートの画像層を有する面を貼り付けることで画像箔転写シートを得るセパレーター貼付工程と、画像箔転写シートからセパレーターを剥離除去した上で第二の糊層を有する面を転写対象物の表面に圧着する圧着工程と、転写対象物に圧着した画像箔転写シートからアプリケーションシートを剥離除去する糊層除去工程とからなることを特徴とする。
【発明の効果】
【００２１】
本発明に係る画像箔転写シートとその製造方法、画像箔の転写方法は、以下のような数々の優れた効果を奏する。
（１）クリアインクを使用可能なインクジェットプリンター等の非接触型印刷機により、印刷した画像の通りに箔を画像層として形成可能であるため、複雑な図形や小さな文字などの繊細な画像であっても正確に箔として対象物に転写できる。これにより、従来の手作業による「箔押し」や「箔付け」では困難だった表現が可能となる。また、箔の上にインクで画像を重ね描きした複合的な画像も一回で対象物に転写することも可能である。
（２）同じ画像箔転写シートを印刷の方法により連続的に大量製造できる。これにより、カッティングシートのように箔シートから１点づつ画像を切り出す方法に比べて作業効率が大幅に向上する。
（３）製版を必要とせず、画像データごとに少量多品種製造が可能である。そのため、少量多品種製品やそのパッケージへの転写、量産品のオリジナル化・カスタマイズ化、製品開発段階での試作品・サンプル品等への「箔押し」や「箔付け」が大幅に低コスト化できる。
（４）セパレーターを剥がした時点で、透明なアプリケーションシートの下に画像箔のみが保持されるため対象物の転写箇所が視認可能であり、位置決めが容易となり正確な転写作業が行える。
（５）転写には何らの器具や治具も必要とせず、画像箔転写シートを転写箇所に貼り付けて押圧し、アプリケーションシートを剥がすだけで完了するため、作業は極めて容易である。しかも、転写作業自体には熱を使用しないので、樹脂製等の熱に弱い対象物にも転写が可能である。
（６）アプリケーションシートを剥離するだけで画像箔以外の部分の糊層（粘着剤層）が剥離除去されるため、作業効率が向上し、仕上りも美しくなる。
（７）転写された画像箔の表面がクリアインクによって保護された状態となるため、擦過や経年劣化への耐久性が高く、箔画像の風合いにも深みが増す。
（８）完成した画像箔転写シートは、対象物への接着面がセパレーターによって保護された状態であるため、従来の印刷画像シールと同様に取扱いや保管が容易である。
【発明を実施するための最良の形態】
【００２２】
（第一実施形態）
以下、本発明の実施形態について図面に基づいて詳細に説明する。第一実施形態は、請求項１に記載した糊層を一層のみ有する画像箔転写シートと、その製造方法、並びに該画像箔転写シートを用いた画像箔の転写方法に係るものである。
【００２３】
図１は、本発明の第一実施形態に係る画像箔転写シート１の一例を示す断面図である。画像箔転写シート１は、下層のセパレーターＳＰの上面に設けた糊層Ｎと、上層のアプリケーションシートとの間に挟まれる形で画像層Ｉを有している。画像層Ｉは、上層の第一のクリア層Ｃ１と下層の第二のクリア層Ｃ２との間に箔Ｆを有している。セパレーターＳＰと第一の糊層Ｎ１とは剥離可能である。一方、第一のクリア層Ｃ１と第二のクリア層Ｃ２は、それ自体の接着力により箔Ｆの上下面に固着しており、一体的に画像層Ｉを形成している。
【００２４】
図２から図１２は、画像箔転写シート１の製造工程を段階的に示した断面図である。図２は、画像箔を形成するために用いる箔シートＦＳの断面図である。箔シートＦＳは、基材フィルムＢＦの下面に、金属を蒸着して箔Ｆの層を設けている。箔とする金属としては、純金、純銀、銅、錫、アルミ等が一般的だが、銀を燻すことによって色調を変化させた赤銀箔、青銀箔や、真鍮に黄色の着色をして金に似せた洋金なども使用できる。また、金属箔の製造工程にエンボス工程を追加することで箔に干渉縞を生じさせて三次元模様を浮かび上がらせるホログラム箔を使用すれば、画像箔をさらに表情豊かなものとできる。
【００２５】
図３は、離型シートＲの表面に非接触型印刷機Ｐによりクリアインク又はプライマーで
所望の画像を正像印刷して第二のクリア層Ｃ２を形成する第一印刷工程を示す断面図である。図４及び図５は、箔転写工程を示す断面図である。図４は、箔シートＦＳの箔Ｆを有する側を第二のクリア層Ｃ２を設けた離型シートＲの表面に圧着した状態を示す断面図である。図５は、箔シートを剥離することで第二のクリア層Ｃ２にのみ箔が転写された状態を示す断面図である。箔シートＦＳが離型シートＲに圧着されると、第二のクリア層Ｃ２に接触した箇所ではクリアインクの接着力によって箔Ｆが接着される。しかし、離型シートＲに接触した箇所では箔Ｆの接着は起こらず、箔シートＦＳを剥離すると所望の画像の形状に箔Ｆが転写されるのである。
【００２６】
離型シートＲとしては、前述のとおりたとえば非シリコン系の離型フィルムが好適である。ただし、離型性が軽すぎると、箔シートを剥離する際に第二のクリア層Ｃ２が剥がれやすくなり、逆に離型性が重すぎると、後の画像転写工程においてアプリケーションシートＡＳ側にうまく画像層が写し取られないおそれがあるため、適切な離型性を有するものを選択する。一方、箔シートを圧着する際には、指や手動ローラー等による圧着でも良いが、ローラーの内部にヒーターを組み込んだホットローラーを用い、加熱しながら圧着することがより効果的である。本願発明者の試行によれば、加熱温度は４０℃〜２００℃が望ましく、１３０℃程度が好適である。一般的に融点が４０℃前後であるプライマーの場合、それ以下の温度では箔に対する接着力が不十分となる場合があり、２００℃を超えると箔自体を変性させてしまうおそれがある。
【００２７】
図６は、第二印刷工程を示す断面図である。非接触型印刷機Ｐにより、第一印刷工程と同じ画像データによってクリアインク又はプライマーで画像を印刷することにより、転写された箔Ｆの上面にのみ第一のクリア層Ｃ１を形成することができる。これにより、離型シートＲの上面に、上層の第一のクリア層Ｃ１と下層の第二のクリア層Ｃ２との間に箔Ｆを有する画像層Ｉが形成される。
【００２８】
図７〜９は、画像転写工程を示す断面図である。図７は、アプリケーションシートＡＳの断面図である。図８は、アプリケーションシートＡＳを離型シートＲの上面に圧着した状態を示す断面図であり、図９は、その後離型シートＲを剥離除去する状態を示す断面図である。
適度な離型性を有する離型シートＲを用いることで、離型シートＲは容易に剥離除去されて、画像層ＩのみがアプリケーションシートＡＳの下面に転写される。
【００２９】
図１０は、セパレーターＳＰの断面図であり、図１１、１２は、セパレーター貼付工程を示す断面図である。セパレーターＳＰは、その上面に糊層Ｎを剥離可能に設けている。図１１は、セパレーターＳＰの糊層Ｎを設けた面にアプリケーションシートＡＳの画像層Ｉを有する面を貼り付ける状態を示す断面図であり、図１２は、画像箔転写シート１が完成した状態を示す断面図である。
【００３０】
図１３〜１５は圧着工程を示す断面図である。図１３は、完成した画像箔転写シート１からセパレーターＳＰを剥離除去して糊層Ｎを露出させた状態を示す断面図である。また、図１４及び図１５は、画像箔転写シート１を転写対象物Ｏに圧着する圧着工程を示す断面図である。最後に、図１６は、転写対象物Ｏに圧着した画像箔転写シート１からアプリケーションシートＡＳを剥離除去することで画像箔の転写を完了させ、かつ糊層を除去する糊層除去工程を示す断面図である。
【００３１】
圧着工程により、画像層Ｉは糊層Ｎによって転写対象物Ｏの表面に接着され、糊層除去工程でアプリケーションシートＡＳを剥離すると、画像層Ｉは糊層Ｎによって転写対象物Ｏに接着されたまま残存する。一方、アプリケーションシートＡＳは糊料に対して易接着性を有するため、画像層Ｉのない部分では、糊層ＮがアプリケーションシートＡＳに接着されたまま転写対象物Ｏの表面から引き剥がされて除去され、画像箔の転写が完了する。これにより、転写された画像層Ｉは、箔Ｆが転写対象物Ｏの表面に直接「箔押し」されたかのように視認でき、しかも、透明な第一のクリア層Ｃ１によって表面をコートされた状態となる。
【００３２】
（第二実施形態）
第二実施形態は、請求項２に記載した糊層を二層有する画像箔転写シートと、その製造方法、並びに該画像箔転写シートを用いた画像箔の転写方法に係るものである。
【００３３】
図１７は、本発明の第二実施形態に係る画像箔転写シート２の一例を示す断面図である。画像箔転写シート２は、下層のセパレーターＳＰの上面に設けた第二の糊層Ｎ２と、上層のアプリケーションシートＡＳの下面に設けた第一の糊層Ｎ１との間に挟まれる形で画像層Ｉを有している。なお、画像層Ｉの構成は第一実施形態と同じである。セパレーターＳＰと第二の糊層Ｎ２とは剥離可能であるが、アプリケーションシートＡＳと第一の糊層Ｎ１とは強固に接着しており、剥離不能である。
【００３４】
図１８から図２２は、画像箔転写シート２の製造工程を段階的に示した断面図である。なお、画像層Ｉを形成するための第一印刷工程、箔転写工程、第二印刷工程は、第一実施形態と同じであるため（図２乃至図６）、図及び説明は省略する。
【００３５】
図１８から図２０は、画像転写工程を示す断面図である。図１８は、第二実施形態に用いるアプリケーションシートＡＳの断面図である。アプリケーションシートＡＳは、その下面に第一の糊層Ｎ１を剥離不能に設けている。図１９は、アプリケーションシートＡＳの第一の糊層Ｎ１を設けた側を離型シートＲの上面に圧着した状態を示す断面図であり、図２０は、その後離型シートＲを剥離除去する状態を示す断面図である。アプリケーションシートＡＳの圧着により、画像層Ｉは第一の糊層Ｎ１によってアプリケーションシートＡＳに接着されるが、画像層Ｉのない部分では離型シートＲが第一の糊層Ｎ１に直接接触しても糊剤に対して離型性を有するため、接着されない。そのため、離型シートＲを剥離除去すると、画像層ＩのみがアプリケーションシートＡＳの下面に転写されるのである。
【００３６】
図２１〜２３は、セパレーター貼付工程を示す断面図である。図２１は、セパレーターＳＰの断面図である。セパレーターＳＰは、その上面に第二の糊層Ｎ２を剥離可能に設けている。図２２は、セパレーターＳＰの第二の糊層Ｎ２を設けた面にアプリケーションシートＡＳの画像層Ｉを有する面を貼り付ける状態を示す断面図であり、図２３は、画像箔転写シート２が完成した状態を示す断面図である。
【００３７】
図２４〜２６は圧着工程を示す断面図である。図２４は、完成した画像箔転写シート２からセパレーターＳＰを剥離除去して第二の糊層Ｎ２を露出させた状態を示す断面図である。また、図２５及び図２６は、画像箔転写シート１を転写対象物Ｏに圧着する圧着工程を示す断面図である。最後に、図２７は、転写対象物Ｏに圧着した画像箔転写シート２からアプリケーションシートＡＳを剥離除去することで画像箔の転写を完了させ、かつ糊層を除去する糊層除去工程を示す断面図である。
【００３８】
圧着工程により、画像層Ｉは第二の糊層Ｎ２によって転写対象物Ｏの表面に接着される。また、第一の糊層Ｎ１と第二の糊層Ｎ２は圧着されることにより互いに強固に接着し合って一体化する。その後、アプリケーションシートＡＳを剥離すると、画像層Ｉのある部分では、アプリケーションシートＡＳと剥離不能に接着している第一の糊層Ｎ１が画像層Ｉの上面の第一のクリア層Ｃ１から引き剥がされて、画像層Ｉのみが転写対象物Ｏの表面に残る。一方、画像層Ｉのない部分では、第一の糊層Ｎ１と第二の糊層Ｎ２とが互いに強固に接着し合って一体化しているため、ともにアプリケーションシートＡＳに貼り付いたまま転写対象物Ｏの表面から除去され、これにより、画像箔の転写が完了するのである。転写された画像層Ｉは、箔Ｆが転写対象物Ｏの表面に直接「箔押し」されたかのように視認でき、しかも、透明な第一のクリア層Ｃ１によって表面をコートされた状態となる。
【００３９】
なお、第一実施形態に係る画像箔転写シート１では、アプリケーションシートＡＳが糊層を有さないため、画像転写工程において離型シートＲを剥離除去する際に（図９）画像層ＩがアプリケーションシートＡＳに付着せず、離型シートＲ上に残存してしまう場合がないとはいえない。そのため、アプリケーションシートＡＳを離型シートＲ上に圧着する際には、手作業ではなくローラー又はラミネーターを用いて全体に均一に圧力が掛かるように押圧し、画像層ＩがアプリケーションシートＡＳに付着して十分に一体化するようにすることが望ましい。
【００４０】
一方、第二実施形態に係る画像箔転写シート２では、アプリケーションシートＡＳが第一の糊層Ｎ１を有するため、画像転写工程においてアプリケーションシートＡＳを離型シートＲに圧着した際に（図１９）、画像層Ｉは第一の糊層Ｎ１によってアプリケーションシートＡＳに接着されるため、離型シートＲを剥離除去する際に（図２０）離型シートＲ上に残存するおそれはない。そのため、アプリケーションシートＡＳの離型シートＲへの圧着をバレン等を用いた手作業で行っても、画像層Ｉは確実にアプリケーションシートＡＳ側に転写されるため、作業効率が向上する。
【００４１】
（第三実施形態）
図２８は、本発明の第三実施形態に係る画像箔転写シート３の断面図である。該画像箔転写シート３の画像層Iは、箔Ｆの上面にさらに部分的に画像Ｇが印刷され、その上に第一のクリア層Ｃ１を設けている。製造工程においては、箔転写工程の後に、やはり非接触型印刷機Ｐによって任意の画像を有色のインクで箔Ｆの表面に重ねて印刷し、その上に第二印刷工程によって第一のクリア層Ｃ１を設けるのである。かかる画像Ｇの追加を除き、画像箔転写シート３の構成及びその製造方法は、第一実施形態に係る画像箔転写シート１と同様である。図２９は、画像箔転写シート３によって転写対象物Ｏに画像層Ｉが転写された状態を示す断面図である。
【００４２】
（第四実施形態）
図３０は、本発明の第四実施形態に係る画像箔転写シート４の断面図である。画像層Ｉの形成の際に、箔Ｆの上面にさらに部分的に画像Ｇを有する構成は第三実施形態に係る画像箔転写シート３と同じであり、かかる画像Ｇの追加を除き、画像箔転写シート４の構成及びその製造方法は、第二実施形態に係る画像箔転写シート２と同様である。また、画像箔転写シート４によって転写対象物Ｏに画像層Ｉが転写された状態を示す断面図も図２９と同じである。
【００４３】
図３１〜３３は、画像箔転写シート３を適用した転写の事例を示す写真である。写真から明らかなように、第三実施形態又は第四実施形態の画像箔転写シートを用いることにより、箔Ｆの上に任意の画像が描かれた状態で対象物に転写することが可能となり、金属箔の上面に自在に模様を重ねることで転写画像の表現力をさらに高めることができる。たとえば、図３１の転写事例（その１）では、花の形の金属箔の上に花弁の輪郭等の図形を有色インクで重ね描きして表現力を高めた画像を転写している。また、図３２の転写事例（その２）では、文字を金属箔とし、その文字の輪郭を有色のＵＶインクで縁取ることで、文字に立体感を与える効果を付与している。さらに、図３３の転写事例（その３）のように、カードの表面全体に金属箔を転写した背景の上に城等の図形を重ねて印刷し、さらにＵＶインクならではの厚盛り印刷で装飾文様を付加した画像を一回の転写で実現している。
【００４４】
以上、本発明に係る画像転写方法の具体的な構成について説明したが、本発明は上記実施形態に限定されるものではなく、本発明の技術的思想の範囲内において改良または改変が可能であり、それらは本発明の技術的範囲に属するものである。
【産業上の利用可能性】
【００４５】
本発明によれば、印刷データどおりの所望の画像を金属箔として物品の表面に容易かつ自在に転写可能であるため、従来は製版の費用や多大な手間・時間を要していた「箔押し」や「箔付け」を極めて低コストかつ効率的に実現できる。特に、少量多品種製品やそのパッケージへの転写、量産品のオリジナル化・カスタマイズ化、製品開発段階での試作品・サンプル品等への「箔押し」や「箔付け」への利用可能性が大きく、また、建築の内装や装飾にも利用可能である。
【図面の簡単な説明】
【００４６】
【図１】画像箔転写シートの断面図（第一実施形態）
【図２】箔シートの断面図
【図３】第一印刷工程を示す断面図
【図４】箔転写工程を示す断面図（箔シートの圧着）
【図５】箔転写工程を示す断面図（箔の転写）
【図６】第二印刷工程を示す断面図
【図７】アプリケーションシート（第一実施形態）の断面図
【図８】画像層転写工程を示す断面図（アプリケーションシートの圧着：第一実施形態）
【図９】画像層転写工程を示す断面図（離型シートの剥離除去：第一実施形態）
【図１０】セパレーターの断面図
【図１１】セパレーター貼付工程を示す断面図（第一実施形態）
【図１２】完成した画像箔転写シート（第一実施形態）の断面図
【図１３】セパレーターの剥離除去（第一実施形態）
【図１４】転写対象物への圧着工程を示す断面図（貼り付け：第一実施形態）
【図１５】転写対象物への圧着工程を示す断面図（圧着：第一実施形態）
【図１６】糊層除去工程を示す断面図（第一実施形態）
【図１７】画像箔転写シートの断面図（第二実施形態）
【図１８】アプリケーションシート（第二実施形態）の断面図
【図１９】画像層転写工程を示す断面図（アプリケーションシートの圧着：第二実施形態）
【図２０】画像層転写工程を示す断面図（離型シートの剥離除去：第二実施形態）
【図２１】セパレーターの断面図
【図２２】セパレーター貼付工程を示す断面図（第二実施形態）
【図２３】完成した画像箔転写シート（第二実施形態）の断面図
【図２４】セパレーターの剥離除去（第二実施形態）
【図２５】転写対象物への圧着工程を示す断面図（貼り付け：第一実施形態）
【図２６】転写対象物への圧着工程を示す断面図（圧着：第二実施形態）
【図２７】糊層除去工程を示す断面図（第二実施形態）
【図２８】画像箔転写シートの断面図（第三実施形態）
【図２９】転写された画像層の断面図（第三実施形態、第四実施形態）
【図３０】画像箔転写シートの断面図（第四実施形態）
【図３１】第三実施形態に係る画像箔転写シートによる転写事例（その１）
【図３２】第三実施形態に係る画像箔転写シートによる転写事例（その２）
【図３３】第三実施形態に係る画像箔転写シートによる転写事例（その３）
【符号の説明】
【００４７】
１    画像箔転写フィルム（第一実施形態）
２    画像箔転写フィルム（第二実施形態）
３    画像箔転写フィルム（第三実施形態）
４    画像箔転写フィルム（第四実施形態）
ＦＳ  箔シート
ＢＦ  基材フィルム
Ｆ    箔
Ｃ１  第一のクリア層
Ｃ２  第二のクリア層
Ｎ    糊層（第一実施形態、第三実施形態）
Ｎ１  第一の糊層（第二実施形態、第四実施形態）
Ｎ２  第二の糊層（第二実施形態、第四実施形態）
Ｉ    画像層
Ｇ    画像
ＡＳ  アプリケーションシート
ＳＰ  セパレーター
Ｒ    離型シート
Ｐ    非接触型印刷機
Ｏ    転写対象物